(57)【特許請求の範囲】
【請求項１】
移動端末装置が無線基地局と無線接続する毎に無線基地局識別情報を取得し、その無線基地局識別情報を用いて当該移動端末装置の位置情報をサーバ装置が管理する位置情報管理システムであって、
前記サーバ装置は、予め登録されている前記無線基地局の設置位置の情報及び電車ダイヤの情報と前記移動端末装置からの無線基地局識別情報とを基に目的駅への到着時刻を計算する手段と、計算した到着時刻を前記移動端末装置に通知する手段とを有し、
前記移動端末装置は、前記サーバ装置に位置情報要求を送信する手段と、前記位置情報要求に応答して前記サーバ装置から通知される時刻を計時する手段とを有し、
前記移動端末装置は、前記サーバ装置からの通知時刻の計時が満了した時に前記無線基地局と無線接続して前記無線基地局識別情報を取得し、その無線基地局識別情報を用いて前記サーバ装置に前記位置情報要求を送信し、
前記サーバ装置は、前記移動端末装置から前記位置情報要求を受信すると、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を前記移動端末装置に通知することを特徴とする位置情報管理システム。
【請求項２】
前記移動端末装置は、少なくとも携帯電話機及びＰＤＡ（Ｐｅｒｓｏｎａｌ  Ｄｉｇｉｔａｌ  Ａｓｓｉｓｔａｎｔ）のいずれかであることを特徴とする請求項１記載の位置情報管理システム。
【請求項３】
移動端末装置が無線基地局と無線接続する毎に無線基地局識別情報を取得し、その無線基地局識別情報を用いて当該移動端末装置の位置情報を管理するサーバ装置であって、
予め登録されている前記無線基地局の設置位置の情報及び電車ダイヤの情報と前記移動端末装置からの無線基地局識別情報とを基に目的駅への到着時刻を計算する手段と、計算した到着時刻を前記移動端末装置に通知する手段とを有し、
前記移動端末装置からの位置情報要求に応答して前記到着時刻の計算とその到着時刻の通知とを行い、その通知する前記到着時刻を前記移動端末装置が計時し、
前記移動端末装置が、自装置からの通知時刻の計時が満了した時に前記無線基地局と無線接続して前記無線基地局識別情報を取得し、その無線基地局識別情報を用いて自装置に前記位置情報要求を送信してきた時、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、前記到着時刻の代わりに当該目的駅への到着の表示させるための位置情報表示を前記移動端末装置に通知することを特徴とするサーバ装置。
【請求項４】
前記移動端末装置が、少なくとも携帯電話機及びＰＤＡ（Ｐｅｒｓｏｎａｌ  Ｄｉｇｉｔａｌ  Ａｓｓｉｓｔａｎｔ）のいずれかであることを特徴とする請求項３記載のサーバ装置。
【請求項５】
自装置が無線基地局と無線接続する毎に無線基地局識別情報を取得し、その無線基地局識別情報を用いて自装置の位置情報がサーバ装置にて管理される移動端末装置であって、
前記サーバ装置が、予め登録されている前記無線基地局の設置位置の情報及び電車ダイヤの情報と前記移動端末装置からの無線基地局識別情報とを基に目的駅への到着時刻を計算し、その計算した到着時刻を自装置に通知させるために前記サーバ装置に位置情報要求を送信する手段と、前記位置情報要求に応答して前記サーバ装置から通知される時刻を計時する手段とを有し、
前記サーバ装置からの通知時刻の計時が満了した時に前記無線基地局と無線接
続して前記無線基地局識別情報を取得し、その無線基地局識別情報を用いて前記
サーバ装置に前記位置情報要求を送信した時に、
前記サーバ装置が、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を通知することを特徴とする移動端末装置。
【請求項６】
少なくとも携帯電話機及びＰＤＡ（Ｐｅｒｓｏｎａｌ  Ｄｉｇｉｔａｌ  Ａｓｓｉｓｔａｎｔ）のいずれかであることを特徴とする請求項５記載の移動端末装置。
【請求項７】
移動端末装置が無線基地局と無線接続する毎に無線基地局識別情報を取得し、その無線基地局識別情報を用いて当該移動端末装置の位置情報をサーバ装置が管理するシステムに用いる位置情報管理方法であって、
前記サーバ装置が、予め登録されている前記無線基地局の設置位置の情報及び電車ダイヤの情報と前記移動端末装置からの無線基地局識別情報とを基に目的駅への到着時刻を計算する処理と、計算した到着時刻を前記移動端末装置に通知する処理とを実行し、
前記移動端末装置が、前記サーバ装置に位置情報要求を送信する処理と、前記位置情報要求に応答して前記サーバ装置から通知される時刻を計時する処理とを実行し、
前記移動端末装置が、前記サーバ装置からの通知時刻の計時が満了した時に前記無線基地局と無線接続して前記無線基地局識別情報を取得し、その無線基地局識別情報を用いて前記サーバ装置に前記位置情報要求を送信し、
前記サーバ装置が、前記移動端末装置から前記位置情報要求を受信すると、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を前記移動端末装置に通知することを特徴とする位置情報管理方法。
【請求項８】
前記移動端末装置が、少なくとも携帯電話機及びＰＤＡ（Ｐｅｒｓｏｎａｌ  Ｄｉｇｉｔａｌ  Ａｓｓｉｓｔａｎｔ）のいずれかであることを特徴とする請求項７記載の位置情報管理方法。
【発明の詳細な説明】
【技術分野】
【０００１】
本発明は位置情報管理システム、サーバ装置、移動端末装置及びそれらに用いる位置情報管理方法に関し、特に携帯電話機等の移動端末装置の位置情報の管理方法に関する。
【背景技術】
【０００２】
携帯電話機においては、普及が進み、誰もが携帯電話機を持つ時代となってきており、携帯電話機の差別化が必要となり、新しいサービスの提供が求められている。
【０００３】
例えば、新しいサービスとしては、列車の利用時に、下車駅に到着する数分前に携帯電話機に通知し、携帯電話機の振動機能や音声出力機能、あるいは電子メール表示機能等にて利用者に通知する方法がある（例えば、特許文献１参照）。この場合、上記のサービスを提供するサービス会社の装置は列車を運行している旅客会社の装置と連携して列車の遅れ等を上記の携帯電話機への通知に反映させている。
【０００４】
【特許文献１】特開２００３−１６９１４１号公報
【発明の開示】
【発明が解決しようとする課題】
【０００５】
上述した従来の到着通知サービスでは、サービスを提供するサービス会社の装置は列車を運行している旅客会社の装置と連携して列車の遅れ等を携帯電話機への通知に反映させているので、旅客会社の装置が列車ダイヤの管理と同時に、サービス会社の装置から要求される毎に列車ダイヤの管理情報を通知しなければならず、旅客会社の装置に多大な負荷が掛かってしまうという問題がある。
【０００６】
また、従来の到着通知サービスでは、サービス会社の装置が旅客会社の装置からの列車ダイヤの管理情報を基に下車駅への到着時刻を算出しているため、到着時刻に列車の遅れ等がリアルタイムに反映されるとは限らないという問題がある。
【０００７】
そこで、本発明の目的は上記の問題点を解消し、旅客会社の装置に多大な負荷を掛けることなく、到着時刻を利用者に通知することができる位置情報管理システム、サーバ装置、移動端末装置及びそれらに用いる位置情報管理方法並びにそのプログラムを提供することにある。
【０００８】
また、本発明の他の目的は、旅客会社の装置に多大な負荷を掛けることなく、列車の遅れ等がリアルタイムに反映される到着時刻を利用者に通知することができる位置情報管理システム、サーバ装置、移動端末装置及びそれらに用いる位置情報管理方法を提供することにある。
【課題を解決するための手段】
【０００９】
本発明による位置情報管理システムは、移動端末装置が無線基地局と無線接続する毎に無線基地局識別情報を取得し、その無線基地局識別情報を用いて当該移動端末装置の位置情報をサーバ装置が管理する位置情報管理システムであって、
前記サーバ装置は、予め登録されている前記無線基地局の設置位置の情報及び電車ダイヤの情報と前記移動端末装置からの無線基地局識別情報とを基に目的駅への到着時刻を計算する手段と、計算した到着時刻を前記移動端末装置に通知する手段とを備え、
前記移動端末装置は、前記サーバ装置に位置情報要求を送信する手段と、前記位置情報要求に応答して前記サーバ装置から通知される時刻を計時する手段とを備え、
前記移動端末装置は、前記サーバ装置からの通知時刻の計時が満了した時に前記無線基地局と無線接続して前記無線基地局識別情報を取得し、その無線基地局識別情報を用いて前記サーバ装置に前記位置情報要求を送信し、
前記サーバ装置は、前記移動端末装置から前記位置情報要求を受信すると、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を前記移動端末装置に通知している。
【００１１】
本発明によるサーバ装置は、移動端末装置が無線基地局と無線接続する毎に無線基地局識別情報を取得し、その無線基地局識別情報を用いて当該移動端末装置の位置情報を管理するサーバ装置であって、
予め登録されている前記無線基地局の設置位置の情報及び電車ダイヤの情報と前記移動端末装置からの無線基地局識別情報とを基に目的駅への到着時刻を計算する手段と、計算した到着時刻を前記移動端末装置に通知する手段とを備え、
前記移動端末装置からの位置情報要求に応答して前記到着時刻の計算とその到着時刻の通知とを行い、その通知する前記到着時刻を前記移動端末装置が計時し、
前記移動端末装置が、自装置からの通知時刻の計時が満了した時に前記無線基地局と無線接続して前記無線基地局識別情報を取得し、その無線基地局識別情報を用いて自装置に前記位置情報要求を送信してきた時、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、前記到着時刻の代わりに当該目的駅への到着の表示させるための位置情報表示を前記移動端末装置に通知している。
【００１３】
本発明による移動端末装置は、自装置が無線基地局と無線接続する毎に無線基地局識別情報を取得し、その無線基地局識別情報を用いて自装置の位置情報がサーバ装置にて管理される移動端末装置であって、
前記サーバ装置が、予め登録されている前記無線基地局の設置位置の情報及び電車ダイヤの情報と前記移動端末装置からの無線基地局識別情報とを基に目的駅への到着時刻を計算し、その計算した到着時刻を自装置に通知させるために前記サーバ装置に位置情報要求を送信する手段と、前記位置情報要求に応答して前記サーバ装置から通知される時刻を計時する手段とを備え、
前記サーバ装置からの通知時刻の計時が満了した時に前記無線基地局と無線接
続して前記無線基地局識別情報を取得し、その無線基地局識別情報を用いて前記
サーバ装置に前記位置情報要求を送信した時に、
前記サーバ装置が、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を通知している。
【００１５】
本発明による位置情報管理方法は、移動端末装置が無線基地局と無線接続する毎に無線基地局識別情報を取得し、その無線基地局識別情報を用いて当該移動端末装置の位置情報をサーバ装置が管理するシステムに用いる位置情報管理方法であって、
前記サーバ装置が、予め登録されている前記無線基地局の設置位置の情報及び電車ダイヤの情報と前記移動端末装置からの無線基地局識別情報とを基に目的駅への到着時刻を計算する処理と、計算した到着時刻を前記移動端末装置に通知する処理とを実行し、
前記移動端末装置が、前記サーバ装置に位置情報要求を送信する処理と、前記位置情報要求に応答して前記サーバ装置から通知される時刻を計時する処理とを実行し、
前記移動端末装置が、前記サーバ装置からの通知時刻の計時が満了した時に前記無線基地局と無線接続して前記無線基地局識別情報を取得し、その無線基地局識別情報を用いて前記サーバ装置に前記位置情報要求を送信し、
前記サーバ装置が、前記移動端末装置から前記位置情報要求を受信すると、前記目的駅を管理エリア内に含む無線基地局のエリアに未到着であれば、前記無線基地局の設置位置の情報及び前記電車ダイヤの情報と前記移動端末装置からの無線基地局識別情報とを基に前記目的駅への到着時刻を計算して通知し、前記目的駅を管理エリア内に含む無線基地局のエリアに到着していれば、当該目的駅への到着の表示させるための位置情報表示を前記移動端末装置に通知している。
【００１７】
すなわち、本発明の位置情報管理システムは、携帯電話機が無線基地局と無線接続する毎にＢＳ＿ＩＤ（Ｂａｓｅ  Ｓｔａｔｉｏｎ＿Ｉｄｅｎｔｉｆｉｅｒ：無線基地局識別情報）を取得し、そのＢＳ＿ＩＤを用いて当該携帯電話機の位置情報を管理するサーバ装置に位置情報要求を送信し、サーバ装置が予め登録されている無線基地局の設置位置の情報及び電車ダイヤの情報と携帯電話機からのＢＳ＿ＩＤとを基に目的駅への到着時刻を計算して通知し、携帯電話機がその通知時刻を計時することで、旅客会社の装置に多大な負荷を掛けることなく、到着時刻を利用者に通知することが可能となる。
【００１８】
この場合、本発明の位置情報管理システムでは、携帯電話機が通知時刻の計時を満了した時に、再度、無線基地局と無線接続してＢＳ＿ＩＤを取得し、そのＢＳ＿ＩＤを用いてサーバ装置に位置情報要求を送信する。サーバ装置ではその位置情報要求を受信すると、無線基地局の設置位置の情報及び電車ダイヤの情報と携帯電話機からのＢＳ＿ＩＤとを基に目的駅への到着時刻を計算して通知する。この時、サーバ装置は目的駅に到着していれば、到着時刻を通知せずに、位置情報表示を携帯電話機に指示する。これによって、本発明の位置情報管理システムでは、旅客会社の装置に多大な負荷を掛けることなく、列車の遅れ等がリアルタイムに反映された到着時刻を利用者に通知することが可能となる。
【発明の効果】
【００１９】
本発明の位置情報管理システムは、以下に述べるような構成及び動作とすることで、旅客会社の装置に多大な負荷を掛けることなく、到着時刻を利用者に通知することができるという効果が得られる。
【００２０】
本発明の他の位置情報管理システムは、以下に述べるような構成及び動作とすることで、旅客会社の装置に多大な負荷を掛けることなく、列車の遅れ等がリアルタイムに反映される到着時刻を利用者に通知することができるという効果が得られる。
【発明を実施するための最良の形態】
【００２１】
次に、本発明の実施例について図面を参照して説明する。図１は本発明の一実施例による位置情報管理システムの構成を示すブロック図である。図１において、本発明の一実施例による位置情報管理システムはサーバ装置１と、移動通信交換局（ＭＳＣ：Ｍｏｂｉｌｅ  Ｓｗｉｔｃｈｉｎｇ  Ｃｅｎｔｅｒ）２と、移動端末装置３と、無線基地局４−１〜４−４とから構成されている。
【００２２】
移動端末装置３においては、指定駅（例えば、「品川駅」や「新横浜駅」等）の近くでアラーム音の鳴動またはバイブレータの振動を行わせるための設定が行われる。この設定は無線基地局４−１，４−４及び移動通信交換局２を介して電車ダイヤ及び移動端末装置３の位置を管理するサーバ装置１に登録される。その登録時に、サーバ装置１は移動端末装置３からの位置情報を受けて目的の駅のエリアに到着する時間を電車ダイヤを使って算出し、その算出した時間を到着までの時間として移動端末装置３に通知する。
【００２３】
移動端末装置３はサーバ装置１からの通知を受けてタイマを起動する。移動端末装置３はタイマが満了した時点で、再度、位置情報確認メッセージをサーバ装置１に送信し、現在地の確認を行う。現在地が移動端末装置３の目的の駅ではない場合、サーバ装置１は、再度、タイマ値を移動端末装置３に送信する。現在地が移動端末装置３の目的の駅の場合、サーバ装置１はアラーム音の鳴動またはバイブレータの振動を行わせるための通知を移動端末装置３に行う。
【００２４】
図２は図１のサーバ装置１の構成を示すブロック図である。図２において、サーバ装置１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用する記憶装置１３と、無線基地局４−１〜４−４及び移動通信交換局２０を介して行う移動端末装置３との通信を制御する通信制御部１４とから構成されている。
【００２５】
記憶装置１３は無線基地局４−１〜４−４の設置位置情報を保持する無線基地局設置位置情報保持領域１３１と、電車ダイヤの情報を蓄積する電車ダイヤデータベース１３２と、移動端末装置３が設定登録する移動端末設定情報保持領域１３３とを備えている。尚、ＣＰＵ１１と、メインメモリ１２と、記憶装置１３と、通信制御部１４とはそれぞれ内部バス１１０を介して相互に接続されている。
【００２６】
図３は図１の移動端末装置３の構成を示すブロック図である。図３において、移動端末装置３はメインＣＰＵ３１と、無線部Ｉ／Ｆ（インタフェース）３２と、キー入力制御部３３と、外部スピーカ及びバイブレータ３４と、時間管理部３５と、メインＣＰＵ３１が実行する制御プログラム等を格納する記録媒体３６とから構成されている。
【００２７】
無線部Ｉ／Ｆ３２は無線基地局４−１〜４−４と通信を行い、メインＣＰＵ３１は無線基地局４−１〜４−４との通信プロトコルやユーザ操作、タイマ起動を制御する。この移動端末装置３では、ユーザ操作においてキーの操作にて駅名が入力されることによって、キー入力制御部３３を介してメインＣＰＵ３１に駅名が渡され、メインＣＰＵ３１が後述するプロトコル制御を行うことによって、サーバ装置１から到着予定時刻を入手する。
【００２８】
サーバ装置１から入手した到着予定時刻は時間管理部３５にて管理され、その時間が経過した時にその旨が時間管理部３５からメインＣＰＵ３１に通知され、ユーザから指定された駅の近くのエリアに到達したかを確認する仕組みとなっている。指定された駅の近くのエリアに到達した場合には、外部スピーカ及びバイブレータ３４によってその旨がユーザに通知される。
【００２９】
図４は本発明の一実施例による位置情報管理システムの動作を示すシーケンスチャートであり、図５は図１の移動端末装置３の動作を示すフローチャートであり、図６は図１のサーバ装置１の動作を示すフローチャートである。これら図１〜図６を参照して本発明の一実施例による位置情報管理システムの動作について説明する。尚、図５に示す処理は移動端末装置３のメインＣＰＵ３１が記録媒体３６のプログラムを実行することで実現され、図６に示す処理はサーバ装置１のＣＰＵ１１が制御プログラム１２ａを実行することで実現される。また、以下の説明では、ユーザが「品川駅」近傍でアラーム音の鳴動またはバイブレータの振動を行わせるための設定を「新横浜駅」を指定して行うものとする。
【００３０】
移動端末装置３はユーザがキー操作にて到着駅を入力すると（図５ステップＳ１）、無線基地局４−４に位置登録を行う際の無線接続処理において（図５ステップＳ２）（図４のａ１参照）、無線基地局４−４のＢＳ＿ＩＤを取得し（図５ステップＳ３）、位置情報要求をサーバ装置１に送ることで無線基地局４−４のＢＳ＿ＩＤ及び駅名（「新横浜駅」）を無線基地局４−４及び移動通信交換局２を介してサーバ装置１に通知する（図５ステップＳ４）（図４のａ２〜ａ４参照）。
【００３１】
サーバ装置１は移動端末装置３から無線基地局４−４のＢＳ＿ＩＤ及び駅名（「新横浜駅」）を入手すると（図６ステップＳ２１，Ｓ２２）、それらの情報と電車ダイヤデータベース１３２の内容とを照合し、指定駅への到着時刻を算出する（図６ステップＳ２３）（図４のａ５参照）。サーバ装置１は算出した指定駅への到着時刻をタイマ起動にて移動端末装置３に通知する（図６ステップＳ２４，Ｓ２５）（図４のａ６〜ａ８参照）。
【００３２】
移動端末装置３はサーバ装置１からのタイマ起動を受信すると（図５ステップＳ５）、時間管理部３５のタイマ（図示せず）を設定し（図５ステップＳ６）、一定時間（指定された時間）が経過すると（図５ステップＳ７）、無線基地局４−３に位置登録を行う際の無線接続処理において（図５ステップＳ８）（図４のａ９参照）、無線基地局４−３のＢＳ＿ＩＤを取得し（図５ステップＳ９）、位置情報要求をサーバ装置１に送ることで無線基地局４−３のＢＳ＿ＩＤ及び駅名（「新横浜駅」）を無線基地局４−３及び移動通信交換局２を介してサーバ装置１に通知する（図５ステップＳ１０）（図４のａ１０〜ａ１２参照）。
【００３３】
サーバ装置１は移動端末装置３から無線基地局４−３のＢＳ＿ＩＤ及び駅名（「新横浜駅」）を入手すると（図６ステップＳ２１，Ｓ２２）、それらの情報と電車ダイヤデータベース１３２の内容とを照合し、再度、指定駅への到着時刻を算出する（図６ステップＳ２３）（図４のａ１３参照）。サーバ装置１は移動端末装置３が指定駅を管理エリア内に含む無線基地局４−１のエリアを示す所定の位置まで来ていなければ（図６ステップＳ２４）、算出した指定駅への到着時刻をタイマ起動にて移動端末装置３に通知する（図６ステップＳ２５）（図４のａ１４〜ａ１６参照）。
【００３４】
上記の処理と同様に、移動端末装置３はサーバ装置１からのタイマ起動を受信すると（図５ステップＳ１１）、時間管理部３５のタイマを再設定し（図５ステップＳ１２）、一定時間（指定された時間）が経過すると（図５ステップＳ７）、無線基地局４−３に位置登録を行う際の無線接続処理において（図５ステップＳ８）（図４のａ１７参照）、無線基地局４−１のＢＳ＿ＩＤを取得し（図５ステップＳ９）、位置情報要求をサーバ装置１に送ることで無線基地局４−１のＢＳ＿ＩＤ及び駅名（「新横浜駅」）を無線基地局４−１及び移動通信交換局２を介してサーバ装置１に通知する（図５ステップＳ１０）（図４のａ１８〜ａ２０参照）。
【００３５】
サーバ装置１は移動端末装置３から無線基地局４−１のＢＳ＿ＩＤ及び駅名（「新横浜駅」）を入手すると（図６ステップＳ２１，Ｓ２２）、それらの情報と電車ダイヤデータベース１３２の内容とを照合し、再度、指定駅への到着時刻を算出する（図６ステップＳ２３）（図４のａ２１参照）。この時、サーバ装置１は移動端末装置３が所定の位置まで来ていれば（図６ステップＳ２４）、その所定の位置まで到着していることを移動端末装置３に表示させるための位置情報表示を移動端末装置３に通知する（図６ステップＳ２６）（図４のａ２２〜ａ２４参照）。
【００３６】
移動端末装置３はサーバ装置１から位置情報表示を受信すると（図５ステップＳ１３）、ユーザに外部スピーカ及びバイブレータ３４にて到着時間であることを通知するとともに（図５ステップＳ１４）（図４のａ２５参照）、図示せぬ表示部に指定駅近傍への到着を表示する。
【００３７】
このように、本実施例では、電車内で居眠りや音楽を聴いていて現在の駅名を認識できなくても、移動端末装置３の外部スピーカ及びバイブレータ３４によって目的駅近傍への到着を教えてくれるので、旅客会社の装置に多大な負荷を掛けることなく、到着時刻を利用者に通知することができる。
【００３８】
この場合、本実施例では、移動端末装置３の位置情報要求に基づいてサーバ装置１が目的の駅の近傍（目的の駅を管理エリアに持つ無線基地局のエリア）か否かを判断して移動端末装置３に通知しているので、移動端末装置３のユーザが乗っている電車に遅れが生じれば、位置情報要求をサーバ装置１に送っても、目的の駅の近傍に到達していないことが即座に移動端末装置３に通知されるので、旅客会社の装置に多大な負荷を掛けることなく、列車の遅れ等がリアルタイムに反映される到着時刻を利用者に通知することができる。尚、サーバ装置１は移動端末装置３の現在位置（移動端末装置３と無線接続される無線基地局４−１〜４−４の設置位置）からの到着時刻を算出するので、到着時刻には列車の遅れ等がリアルタイムに反映される。
【００３９】
また、本実施例では、移動端末装置３の外部スピーカ及びバイブレータ３４にて通知された時に、移動端末装置３に駅名を表示することによって、安価に案内板にすることもできる。さらに、移動端末装置３としては、無線基地局４−１〜４−４との無線接続がを行う携帯電話機、ＰＤＡ（Ｐｅｒｓｏｎａｌ  Ｄｉｇｉｔａｌ  Ａｓｓｉｓｔａｎｔ）等の端末装置を用いることが可能である。
【図面の簡単な説明】
【００４０】
【図１】本発明の一実施例による位置情報管理システムの構成を示すブロック図である。
【図２】図１のサーバ装置の構成を示すブロック図である。
【図３】図１の移動端末装置の構成を示すブロック図である。
【図４】本発明の一実施例による位置情報管理システムの動作を示すシーケンスチャートである。
【図５】図１の移動端末装置の動作を示すフローチャートである。
【図６】図１のサーバ装置１の動作を示すフローチャートである。
【符号の説明】
【００４１】
１  サーバ装置
２  移動通信交換局
３  移動端末装置
４−１〜４−４  無線基地局
１１  ＣＰＵ
１２  メインメモリ
１２ａ  制御プログラム
１３  記憶装置
１４  通信制御部
３１  メインＣＰＵ
３２  無線部Ｉ／Ｆ
３３  キー入力制御部
３４  外部スピーカ及びバイブレータ
３５  時間管理部
３６  記録媒体
１１０  内部バス
１３１  無線基地局設置位置情報保持領域
１３２  電車ダイヤデータベース
１３３  移動端末設定情報保持領域
【図１】
0004665651.tif 000002
【図２】
0004665651.tif 000003
【図３】
0004665651.tif 000004
【図４】
0004665651.tif 000005
【図５】
0004665651.tif 000006
【図６】
0004665651.tif 000007